(57)【要約】【課題】ブリーフ、ズボン下、ズボンの３か所の開口部を一直線にして、排尿行為を容易にする。【解決手段】引き出し片（２）を有するブリーフ（１）と、ズボン下（３）の組み合わせである。前記引き出し片（２）は、一端（２１）が前記ブリーフ開口部（１１）に固定され、他端（２２）が固定具（２３）を有すると共に回動可能である。前記ブリーフ（１）と前記ズボン下（３）は、前記引き出し片（２）の固定具（２３）と係合可能な係合具（１２，３２）を有する。【選択図】図３
2018178330.tif 000002
【特許請求の範囲】
【請求項１】
引き出し片（２）を有するブリーフ（１）と、ズボン下（３）の組み合わせであって、
前記引き出し片（２）は、一端（２１）が前記ブリーフ開口部（１１）に固定され、他端（２２）が固定具（２３）を有すると共に回動可能であり、
前記ブリーフ（１）と前記ズボン下（３）は、前記引き出し片（２）の固定具（２３）と係合可能な係合具（１２，３２）を有する
ことを特徴とする組み合わせ。
【請求項２】
前記引き出し片（２）は、吸水性繊維を内蔵している請求項１項記載の組み合わせ。
【請求項３】
引き出し片（２）を有するブリーフ（１）であって、
前記引き出し片（２）は、一端（２１）が前記ブリーフ開口部（１１）に固定され、他端（２２）が固定具（２３）を有すると共に自由回動であり、
前記引き出し片（２）の固定具（２３）と係合可能な係合具（１２）を有することを特徴とするブリーフ（１）。
【請求項４】
ズボン下（３）であって、
前記ズボン下（３）は、請求項１〜３のいずれかに記載の前記引き出し片２の固定具（２３）と係合可能な係合具（３２）を有することを特徴とするズボン下（３）。
【請求項５】
引き出し片（２）を有するブリーフ（１）と、ズボン下（３）の使用法であって、
前記引き出し片（２）の一端（２１）を前記ブリーフの開口部（１１）に固定し、他端（２２）を前記ズボン下（３）の開口（３１）から引き上げる工程、
前記他端（２２）の固定具（２３）と前記ズボン下（３）の固定具（３２）を係合させる工程、
を有することを特徴とするブリーフ（１）と、ズボン下（３）の使用法。
【発明の詳細な説明】
【技術分野】
【０００１】
本発明は、肌に接する下着（ブリーフ、トランクス、パンツ等。以下、「ブリーフ」と総称する。）と、ブリーフとズボンの間に位置する下着（ズボン下、パッチ、股引き、ステテコ等。以下、「ズボン下」と総称する。）に関し、特に排尿行為を容易にしたものに関する。
【背景技術】
【０００２】
男性が立って小便をするときには、ズボン前面のチャック，ボタンなどを外して開口部を開け、ズボン下とブリーフの開口部を通して男性器を引き出す。そしてズボンの外に露出させた男性器から便器に向かって放尿する。すなわち、排尿の前段階として、ブリーフ、ズボン下、ズボンの３か所の開口部を一直線にして男性器を引き出す行為が必要である。
【０００３】
各開口部の位置には生地がそれぞれ２枚、合計６枚重ねられているので、目視できるズボンの開口部を除き、残り４枚もの生地をほとんど手探りでかき分けなければならない。男性ならほとんどの人が経験あるであろうが、この行為は特に急いでいるときにはイライラさせられるものである。
【０００４】
この問題を解決するため、下記するような従来技術が知られている。
【先行技術文献】
【特許文献】
【０００５】
【特許文献１】特開２０１４―２５１８１
【特許文献２】特開平１１-２４１２０２
【特許文献３】登録実用新案第３１７４９４５号
【特許文献４】実開昭５９―１８５２０５
【発明の概要】
【発明が解決しようとする課題】
【０００６】
上記４文献の技術は主としてズボン下の改良によりこの問題を解決しようとしている。
【０００７】
本発明は、ブリーフとズボン下の独特な組み合わせによりこの問題を解決しようとするものである。
【課題を解決するための手段】
【０００８】
本発明は、引き出し片２を有するブリーフ１と、ズボン下３の組み合わせであって、前記引き出し片２は、一端２１が前記ブリーフ開口部１１に固定され、他端２２が固定具２３を有すると共に回動可能であり、前記ブリーフ１と前記ズボン下３は、前記引き出し片２の固定具２３と係合可能な係合具１２，３２を有することを特徴とする（請求項１）。
【０００９】
好ましくは、前記引き出し片２は、吸水性繊維を内蔵している（請求項２）。
【００１０】
本発明は、別の見方では、ブリーフ１と、ズボン下３を別々にとらえることもできる。
【００１１】
この見方では、本発明は、引き出し片２を有するブリーフ１であって、前記引き出し片２は、一端２１が前記ブリーフ開口部１１の裏側に固定され、他端２２が固定具２３を有すると共に自由回動であり、前記ブリーフ１前記引き出し片２の固定具２３と係合可能な係合具１２を有することを特徴とする（請求項３）。
【００１２】
さらにこの見方では、本発明は、ズボン下３であって、前記ズボン下３は、請求項１項又は２項記載の前記引き出し片２の固定具２３と係合可能な係合具３２を有することを特徴とする（請求項４）。
【００１３】
本発明は引き出し片２を有するブリーフ１と、ズボン下３の使用法としてもとらえることができる。この方法は、前記引き出し片２の一端２１を前記ブリーフの開口部１１に固定し、他端２２を前記ズボン下３の開口３１から引き上げる工程、前記他端２２の固定具２３と前記ズボン下３の固定具３２を係合させる工程、を有することを特徴とする（請求項５）。
【発明の効果】
【００１４】
本発明によれば、使用者が指で引き出し片を持ち上げるだけで、ブリーフ、ズボン下の開口が一列に整列する。さらに目視が可能なズボンの開口の位置と一致させれば、ブリーフ、ズボン下、ズボンの３か所の開口が整列する。この状態であれば、男性器を引き出すのは容易である。
【００１５】
さらに請求項２によれば、引き出し片は吸水性を有するので、尿漏れがあったときでも吸収されるので、不愉快な思いをしなくてもよい。
【図面の簡単な説明】
【００１６】
【図１】実施例１に係る（ａ）ブリーフの正面図、（ｂ）ズボン下（ブリーフの位置を点線で示す。）の正面図であり、前布が着用者の右側にある状態である。
【図２】実施例１に係る（ａ）ブリーフの正面図、（ｂ）ズボン下の正面図（ブリーフの位置を点線で示す。）であり、前布が着用者の右側にある状態である。
【図３】（ａ）図２のＡ−Ａ断面図（ブリーフのみのとき）、（ｂ）図２のＢ−Ｂ断面図（ブリーフとズボン下を組み合わせたとき）、（ｃ）図２のＢ−Ｂ断面図（ブリーフとズボン下を着用して排尿するとき）である。
【発明を実施するための形態】
【００１７】
図１（ａ）に示すように、本実施例のブリーフ１の開口部１１には引き出し片２が取り付けられている。右利きの人の場合、通常は図示の状態で右端２１が開口部１１の裏側に縫い付けられて固定されている。左利きの人用に逆に取り付けてもよいので、本明細書では「右」「左」は相対的な表現である。
【００１８】
右端２１以外は固定されていないので、図１（ａ）の引き出し片２は折り曲げて、図２（ａ）の状態にすることができる。ブリーフ１の前面（図１において開口部１１の右側）及び引き出し片の左端２２には１組の固定具１２，２３が取り付けられていて、図２（ａ）に示すように、相互に係合させることができる。ズボン下３を着用しないときには、この状態で使用するので、引き出し片２がぶらぶらして邪魔になることはない。なお、固定具１２，２３は、ボタンとボタン穴、雌雄ボタン、雌雄面ファスナなど公知のものを使用することができる。
【００１９】
ブリーフ１の上からズボン下３を着用するとき、図１（ｂ）に示すように、ブリーフ１及びズボン下３のそれぞれの開口部１１，３１を通じて、ブリーフ１の引き出し片２をズボン下３の上に引き上げることができる。当然、右端２１以外は固定されていないので、図１（ｂ）の引き出し片２は折り曲げて、図２（ｂ）の状態にすることができる。
【００２０】
引き出し片２の左端及びズボン下３の前面（図１において開口部３１の右側）には固定具２３，３２が取り付けられていて、図２（b）に示すように、相互に係合させることができる。固定具２３，３２は、ボタンとボタン穴、雌雄ボタン、雌雄面ファスナなど公知のものを使用することができる。下着の着替え時、ブリーフ１とズボン下３を着用するときに、ひと手間かけてこの状態にしておく。
【００２１】
図示していないが、ズボン下３の上にズボンを穿くことは言うまでもない。
【００２２】
引き出し片２は、図３に示すように、薄い袋２４であり、中に吸水性繊維２５を封入しておくことが好ましい。これは、ある程度の硬さを持たせて手で操作しやすくするため、及び、排尿時に尿漏れがあったとき吸収させるためである。吸水性繊維としては、例えば、パルプ繊維、セルロース繊維、レーヨンが挙げられる。
【００２３】
図３（ａ）は図２のＡ−Ａ断面図（ブリーフ１のみのとき）である。引き出し片はブリーフ１の開口部１１の生地を抱えている。
【００２４】
図３（ｂ）は図２のＢ−Ｂ断面図（ブリーフ１とズボン下３を組み合わせたとき）である。引き出し片がブリーフ１の開口部１１の生地とズボン下３の開口部３１の生地を両方とも抱えていることがわかる。
【００２５】
図３（ｃ）は図２のＢ−Ｂ断面図（ブリーフ１とズボン下３を着用して排尿するとき）である。使用者が指で引き出し片２を持ち上げてこの状態にすると、ブリーフ１、ズボン下３の開口１１，３１が一列に整列する。さらにズボンの開口（図示せず）の位置と一致させれば、ブリーフ１、ズボン下３、ズボンの３か所の開口が整列する。この状態であれば、図３（ｃ）の矢印のように、男性器を引き出すのは容易である。
【００２６】
排尿のときなどに尿漏れを起こす場合もあるがそのときには、吸収性繊維２５が尿を吸収してくれるので、不快感を和らげることができる。
【００２７】
最後に付記すると、引き出し片２の形状や大きさは、自由端部２２がブリーフ１やズボン下３の各開口部１１，３１を通り抜けられるものであれば、どのようなものであってもよい。
【符号の説明】
【００２８】
１     ブリーフ
１１   開口部
１２   固定具
２     引き出し片
２１   右端
２２   左端
２３   固定具
２４   袋
２５   吸水性繊維
３     ズボン下
３１   開口部
３２   固定具
【図１】
2018178330.tif 000003
【図２】
2018178330.tif 000004
【図３】
2018178330.tif 000005